(57)【要約】      （修正有）【課題】壁コンセントに挿す電源プラグに埃が溜まらないようにカバーを設けるとともに、カバーの厚さを薄くするカバー付きコンセントタップを提供する。【解決手段】既設の壁コンセントＣに固定されるカバー付きコンセントタップＸとして、前記壁コンセントに差し込まれるプラグ刃が背面に設けられる板状体からなり、当該プラグ刃が前記壁コンセントに差し込まれた状態で背面の少なくとも外周縁が壁面に当接するよう壁面に固定されるベース板１０と、該ベース板の表側に設けられる前記プラグ刃に接続される、側方及び／又は下方を向く１以上のコンセント差込口２１と、前記ベース板と一体となることで、前記コンセント差込口を収容する、前記壁面に垂直方向に偏平な、下方に開口が形成された箱体を形成し、少なくとも一部が開閉可能に形成されるカバー３０とを設ける。【選択図】図１
0003175246.tif 000002
【実用新案登録請求の範囲】
【請求項１】
既設の壁コンセントに固定されるカバー付きコンセントタップであって、
前記壁コンセントに差し込まれるプラグ刃が背面に設けられる板状体からなり、当該プラグ刃が前記壁コンセントに差し込まれた状態で背面の少なくとも外周縁が壁面に当接するよう壁面に固定されるベース板と、
前記ベース板の表側に設けられる前記プラグ刃に接続される、側方及び／又は下方を向く１以上のコンセント差込口と、
前記ベース板と一体となることで、前記コンセント差込口を収容する、前記壁面に垂直方向に偏平な、下方に開口が形成された箱体を形成し、少なくとも一部が開閉可能に形成されるカバーと
を有するカバー付きコンセントタップ。
【請求項２】
前記プラグ刃からの通電を受けて発光するライトが前記ベース板又は前記カバーに設けられた請求項１に記載のカバー付きコンセントタップ。
【請求項３】
前記プラグ刃からの通電を受けて発熱するヒーターと、当該ヒーターにより暖められることで揮発する芳香剤又は消臭を保持する容器とが、前記ベース板又は前記カバーに設けられた請求項1又は２に記載のカバー付きコンセントタップ。
【考案の詳細な説明】
【技術分野】
【０００１】
本考案は、既設の壁コンセントに取り付ける、カバーの設けられたコンセントタップに関する。
【背景技術】
【０００２】
壁面コンセントに電源プラグを挿して使用する場合、コンセントと電源プラグとの間に埃が溜まることがあり、溜まった埃は漏電や火災の原因となる。このような事故を防止するために、下記特許文献には、壁コンセントの回りを箱状のカバーで覆うことが示されている。このようなカバーにより、壁コンセントと電源プラグとの接続部周辺の埃が著しく減少し、漏電などの発生を抑制することができる。
【先行技術文献】
【特許文献】
【０００３】
【特許文献１】特開２００７−２９４１８１号公報
【特許文献２】特開２００８−３４１１９号公報
【特許文献３】特開２００７−６６６０９号公報
【特許文献４】実用新案登録第３１５１７８号公報
【考案の概要】
【考案が解決しようとする課題】
【０００４】
ところで、上記各特許文献に記載のカバーは、壁コンセントに真っ直ぐ挿した電源プラグを収納する必要があるので壁面に垂直な方向の厚みを大きくする必要がある。このため、壁コンセントにカバーを設けると大きく張り出し、家具などを壁コンセントの位置に置く場合に、スペースが無駄になることが多い。
本考案は、このような問題に鑑み、壁コンセントに挿す電源プラグに埃が溜まらないようにカバーを設けるとともに、カバーの厚さを薄くすることを課題とする。
【課題を解決するための手段】
【０００５】
上記課題を解決するために本考案は次のような構成を有する。
請求項１に記載の考案は、既設の壁コンセントに固定されるカバー付きコンセントタップであって、前記壁コンセントに差し込まれるプラグ刃が背面に設けられる板状体からなり、当該プラグ刃が前記壁コンセントに差し込まれた状態で背面の少なくとも外周縁が壁面に当接するよう壁面に固定されるベース板と、前記ベース板の表側に設けられる前記プラグ刃に接続される、側方及び／又は下方を向く１以上のコンセント差込口と、前記ベース板と一体となることで、前記コンセント差込口を収容する、前記壁面に垂直方向に偏平な、下方に開口が形成された箱体を形成し、少なくとも一部が開閉可能に形成されるカバーとを有するカバー付きコンセントタップである。なお、下方には斜め下方が含まれる。
請求項２に記載の考案は、前記カバー付きコンセントタップにおいて、前記プラグ刃からの通電を受けて発光するライトが前記ベース板又は前記カバーに設けられたものである。
請求項３に記載の考案は、前記カバー付きコンセントタップにおいて、前記プラグ刃からの通電を受けて発熱するヒーターと、当該ヒーターにより暖められることで揮発する芳香剤又は消臭剤を保持する容器とが、前記ベース板又は前記カバーに設けられたものである。
【考案の効果】
【０００６】
以上の構成から、本考案は次のような効果を奏する。
請求項１に記載の考案は、既設の壁コンセントとプラグ刃との接続部分に関しては、背面の外周縁が壁面に当接するベース板に覆われることで埃の侵入が防がれ、プラグ差込口は下方のみ開口したカバーにより覆われることで、プラグ差込口と電源プラグとの接続部分に関しても、埃の侵入が抑制される。そして、プラグ差込口は下方又は側方に向いているので、これに差し込まれる電源プラグも下方又は側方を向くこととなり、カバーの壁面に垂直な方向の厚さは薄くても電源プラグを収納でき、カバーの壁面からの突出量を小さくすることができる。
請求項２に記載の考案は、壁コンセント位置における照明としての機能を果たすことができる。
請求項３に記載の考案は、壁コンセント位置におけるアロマポット又は消臭器としての機能を果たすことができる。
【図面の簡単な説明】
【０００７】
【図１】実施形態に係るカバー付きコンセントタップの正面側から見た分解斜視図である。
【図２】実施形態に係るカバー付きコンセントタップの背面側から見た分解斜視図である。
【図３】実施形態に係るカバー付きコンセントタップの電源プラグを挿した状態を示す正面図である。
【図４】コンセントタップ本体の変形例を示す正面図である。
【考案を実施するための形態】
【０００８】
以下、本考案の実施の形態について、図面を参照しながら説明する。
図１に本実施形態に係るカバー付きコンセントタップＸの正面側から見た分解斜視図を示し、図２にカバー付きコンセントタップＸの背面側から見た分解斜視図を示す。コンセントタップＸは、ベース板１０、コンセントタップ本体２０、カバー３０、発光装置４０とから構成される。
【０００９】
ベース板１０はハート型の板体であり、正面側にコンセントタップ本体３０及び発光装置４０が固定されている。また、正面側の外縁近傍にはカバー２０の内縁に係合する係合壁１１が形成されている。係合壁１１の一部には短冊状に切断され先端に外方に突出する爪が設けられた係合爪部１１ａが形成されている。ベース板１０の背面は、コンセントタップ本体２０のプラグ刃２２が、装着する壁コンセントＣのコンセントに係合するように２組並んで突出している。また、背面側の外縁に出っ張り１２が形成されており、壁コンセントＣにプラグ刃３２を係合させた状態で、壁コンセンＣが設けられている壁面と出っ張り１２とが当接するようになっている。さらにベース板１０には、壁コンセントＣの上下に設けられるネジ孔位置に合致する貫通孔１３が設けられている。
【００１０】
コンセントタップ本体２０は、上方が左右にやや突出した扁平な箱体であり、上方の突出した部分の左右及び下端の３箇所にコンセント差込口２１が設けられている。また、背面側にはこれらのコンセント差込口２１に連結されるプラグ刃２２が、上述したように壁コンセントＣに係合するように２組配置されている。
【００１１】
カバー３０は、ベース板１０の外形と略一致するハート型の正面板３１と、正面板３１の側周面に沿って設けられる帯状の側周板３２とからなり、ベース板１０と合わさることで箱体を形成する。側周板３２は下方に開口ができるように、下端側の一部に切り欠き３２ａが形成されている。また、側周板３２の内周はベース板１０の係合壁１１の外周に嵌合する大きさに形成され、両者が嵌合した状態で係合爪部１１ａの爪が存する位置に、当該爪が嵌る細長い穴３２ｂが形成されている。側周板３２の高さは、コンセントタップ本体２０の高さと略合致するように形成され、これによりカバー３０とベース板１０とで形成される箱体は固定する壁面に垂直な方向に扁平なものとなる。また、カバー３０の上部には、発光装置４０からの光を通すために、半透明部３３が形成されている。
【００１２】
発光装置４０は、基板４１に発光ダイオード４２を複数配置したものであり、コンセントタップ本体３０のプラグ刃から電力の供給を受けるように構成されている。なお、基板４１の奥行きはコンセントタップ本体２０の厚さと略一致するように形成されている。基板４１には抵抗などの発光ダイオード４２を適切に発光させるための図示しない回路が設けられている。
【００１３】
次に、以上のような構成を有するカバー付きコンセントタップＸの使用方法について説明する。使用者は、まず、図１の想像線で示すように、壁コンセントＣを装飾しているフェースプレートとベースを取り外して、壁コンセントＣを表出させる。この状態で、ベース板１０の背面から突出しているプラグ刃２２を壁コンセントＣの差込口に差込み、ベース板１０とこれに固定されるコンセントタップ本体２０、発光装置４０を固定する。この状態で発光装置４０の発光ダイオード４２は通電し発光することとなる。さらに、ベース板１０の貫通孔１３からネジを壁コンセントＣの上下のネジ孔Ｃａに通して係合させることで、ベース板１０を壁コンセントＣにしっかりと固定する。次に、コンセントタップ本体２０のコンセント差込口２１に、電化製品の電源プラグを差込む。最後に、電化製品の電源プラグに繋がる電気コードを下方にまとめてカバー３０をベース板１０に係合させることで、カバー付きコンセントタップＸへの電化製品の電源プラグの収納が完了する。図３に、電化製品の電源プラグＰを収納した状態のカバー付きコンセントタップＸの正面図を示す。図に示すようにコンセントタップ本体２０の側方に差し込まれた電源プラグＰのコードはハート型のカバー３０の側周壁３２に沿ってなめらかに下方の開口に導かれる。
本コンセントタップＸは、このように電源プラグが側方又は下方を向くので壁に垂直な方向に大きく出っ張ることがなく、薄く形成することができる。また、発光装置４０を内蔵することで、カバー３０の上方の半透明部３３が発光するので壁コンセント位置における照明としての機能も果たすことができる。
【００１４】
なお、上記実施形態ではベース板１０及びカバー３０の正面視形状をハート型としているが、この形状は任意に設定でき、スペード型、ダイヤ型、クローバー型などの他のトランプマーク形状や、長方形状、楕円形、顔や雲などを模った物など種々の変更が可能である。
また、上記実施形態ではコンセントタップ本体３０のコンセント差込口３１を３つとしているが、これは２つでもよく、また、４つ以上でもよい。例えば、下方に２つ並列にコンセント差込口３１を配置することで４つの差込口３１を設けることができ、また、側方に２つずつのコンセント差込口を設けることで５つのコンセント差込口を設けることができる。
さらに、上記実施形態では壁コンセントとして２個口の壁コンセントを例示しているが、３個口の壁コンセントにも適用できる。この場合、コンセントタップ本体３０のコンセント刃３２を３個口の壁コンセントに合わせて３組設ければよい。
それから、コンセントタップ本体２０の一部を壁面に水平な回転軸に回転可能とすることもできる。具体的には、図４に示すコンセントタップ本体２０のように、側方を向いているプラグ差込口部２３を図に垂直な回転軸２３ａを中心に回転可能とするような場合が例示される。これにより、電源プラグの長さに応じて差込口部を回転させることでカバー３０内にコードと電源プラグを適切に収納することができる。
【００１５】
そして、上記実施形態ではカバー３０の上部を半透明とすることで上部を発光させているが、カバー全体を透光性の素材で形成することで全体をぼんやりと光らせるようにしてもよい。また、発光装置４０のスイッチを内部又はカバー３０表面に設けてもよい。さらに、発光装置４０に代えて、芳香剤又は消臭剤を揮発させるための壁コンセントＣからの通電により発熱するヒーターと、当該ヒーターで暖められるよう芳香剤又は消臭剤を保持する容器とを設けるようにしてもよい。この場合、当該容器はカバー３０の外部に表出させるか、カバー３０の内部に設置する場合は、上方に設置してカバー３０の上方に貫通孔を設け、さらに、カバー３０内にヒーター及び容器部分とコンセント本体３０を遮断するための仕切りを設けるようにするのが望ましい。さらに、他の電気的な装置を組み込むこともでき、また、これらの電気的な装置を省略することもできる。
【００１６】
また、上記実施形態では、カバー３０をベース板１０に対して着脱できるようにすることでカバー３０をコンセントタップ本体２０が表出するよう開く構成としているが、ベース板１０にカバー３０をヒンジで固定することで開閉可能としてもよい。さらに、ベース板１０とカバー３０とを一体に形成し、カバー３０の正面板３１や側周板３２のみが着脱できたり、又は、ヒンジで開閉できたりするといったようにカバー３０の一部分のみが開くような構造を採用することもできる。
【符号の説明】
【００１７】
Ｘ  カバー付きコンセントタップ
Ｃ  壁コンセント
１０  ベース板
１１  係合壁
１２  出っ張り
１３  貫通孔
２０  コンセントタップ本体
２１  コンセント差込口
２２  プラグ刃
３０  カバー
３１  正面板
３２  側周板
４０  発光装置
【図１】
0003175246.tif 000003
【図２】
0003175246.tif 000004
【図３】
0003175246.tif 000005
【図４】
0003175246.tif 000006